(57)【要約】【課題】書込み不足が生じることなく、低い消費電力で、メイン表示パネル及びサブ表示パネルに異なる種類の映像を表示する。【解決手段】４色以上のカラーフィルタを有する画素を有するメイン表示パネルと、メイン表示パネルよりも少ない色数のカラーフィルタを有する画素を有するサブ表示パネルとを具備した電気光学装置において、サブ表示パネルの駆動時においてサブ表示パネルのデータ線の画像信号が供給される一端とは反対側の他端に、所定の電位を供給する第２のプリチャージ回路を設けた。【選択図】図１
2008026770.tif 000002
【特許請求の範囲】
【請求項１】
複数の第１のデータ線と複数の第１の走査線との交差に対応して設けられた画素であっ
て少なくとも４色以上の着色領域を有するカラーフィルタに対応した画素を有し、前記第
１のデータ線に供給される画像信号に基づいて表示を行う第１の表示パネルと、
複数の第２のデータ線と複数の第２の走査線との交差に対応して設けられた画素であっ
て前記第１の表示パネルよりも少ない色数の着色領域を有するカラーフィルタに対応した
画素を有し、前記第２のデータ線に供給される画像信号に基づいて表示を行う第２の表示
パネルと、
前記第２の表示パネルに対応した第１の色画像信号が入力され、当該第１の色画像信号
を前記第１の表示パネルに対応した第２の色画像信号に変換して出力する画像処理回路と
、
前記第１または第２の走査線に対して走査信号を供給するとともに、当該走査信号を供
給している期間に前記第２または第１の色画像信号を前記第１のデータ線の一端から供給
して前記第１の表示パネルまたは前記第２の表示パネルを駆動するドライバと、
前記第２の表示パネルの表示モード時に、前記第１のデータ線の他端と前記第２のデー
タ線の一端とを電気的に接続する中継手段と、
前記ドライバに設けられ、選択信号に基づいて所定本数のデータ線から選択した１本の
前記第１のデータ線に対して前記第２の色画像信号を時分割した信号を供給するための選
択回路と、
前記ドライバに設けられ、所定の期間において前記第１のデータ線に対してプリチャー
ジ電位を供給する第１のプリチャージ回路と、
所定の期間において前記第２のデータ線の他端に所定の電位を供給する第２のプリチャ
ージ回路と、
を具備したことを特徴とする電気光学装置。
【請求項２】
前記第２のプリチャージ回路は、前記第２のデータ線の全てを相互に等電位に設定する
スイッチ素子を具備したことを特徴とする請求項１に記載の電気光学装置。
【請求項３】
前記画像処理回路は、前記第１及び第２の色画像信号としてデジタル信号を出力し、
前記ドライバは、夫々入力された前記第１または第２の色画像信号をアナログ信号に変
換するデジタルアナログコンバータを有することを特徴とする請求項１に記載の電気光学
装置。
【請求項４】
前記ドライバは、前記第１の表示パネルを極性反転駆動するものであって、
前記プリチャージ回路は、水平帰線期間において前記第１のデータ線に供給する前記第
２の色画像信号の極性と同一極性のプリチャージ電位を設定することを特徴とする請求項
１に記載の電気光学装置。
【請求項５】
前記第２の表示パネルは、前記第２のデータ線に接続された画素電極と、対向電極との
間に電気光学物質を介在させて構成されるものであって、
前記第２のプリチャージ回路は、水平走査期間において前記第２のデータ線を前記対向
電極電位に前記スイッチ素子を介して接続することを特徴とする請求項１に記載の電気光
学装置。
【請求項６】
前記第１の色画像信号は、赤系、緑系及び青系の３色画像信号であり、
前記第２の色画像信号は、少なくとも４色以上の多色画像信号であることを特徴とする
請求項１に記載の電気光学装置。
【請求項７】
上記請求項１乃至６のいずれか１項に記載の電気光学装置によって表示部を構成したこ
とを特徴とする電子機器。
【発明の詳細な説明】
【技術分野】
【０００１】
本発明は、本発明は、多色カラーフィルタによって色再現性を向上させるようにした電
気光学装置及び電子機器に関する。
【背景技術】
【０００２】
従来より、一般に、液晶表示装置その他の各種の電気光学装置では、カラー表示を可能
とするために、カラーフィルタが設けられている。このカラーフィルタは、例えば、画素
毎に異なる複数色、例えば、赤、緑、青の着色層のいずれか一つを配置し、これらの複数
色の着色層を所定のパターンで配列させて構成されている。このような着色層は、例えば
、顔料や染料などの着色材を含む感光性樹脂を用いたフォトリソグラフィ法で形成される
。
【０００３】
また、屋内や車内などの比較的暗い環境では、電気光学装置の背後にバックライトを配
置し、このバックライトの光によって視認可能となる透過表示を実現し、さらに、屋外な
どの明るい場所ではバックライトを消灯して外光によって視認可能となる反射表示を実現
するタイプの表示装置も知られている。このタイプの装置では、各画素内に、光を透過す
る光透過領域と、光を反射する光反射領域とを夫々設け、光透過領域を用いて上記透過表
示を実現し、光反射領域を用いて上記反射表示を実現している。
【０００４】
このような電気光学装置を携帯電話機の表示装置として用いることがある。そして、携
帯電話機を開いた状態で表示を観察可能なメインディスプレイの他に、携帯電話機を折り
畳んだ状態で、着信相手や時刻等を確認することができるように、サブディスプレイを搭
載する携帯電話機も商品化されている。
【０００５】
このような２枚の表示パネルを用いた電気光学装置としては、特許文献１〜３等に開示
されたものがある。
【特許文献１】特開２００３−１３１２５０号公報
【特許文献２】特開２００５−１５７４９５号公報
【特許文献３】特開２００３−１７７６８４号公報
【発明の開示】
【発明が解決しようとする課題】
【０００６】
ところで、従来、色の３原色に対応したＲ（赤）、Ｇ（緑）、Ｂ（青）の３色カラーフ
ィルタが多用されている。しかしながら、３色カラーフィルタでは色の再現性が必ずしも
十分でないことがある。そこで、近年、多色（例えば４色）のカラーフィルタを採用した
電気光学装置も開発されている。
【０００７】
しかし、電気光学装置に入力される映像信号としては、Ｒ、Ｇ、Ｂの３原色の映像信号
が採用されることが多い。そこで、３色映像信号を例えば４色映像信号に変換する色変換
回路が採用される。色変換回路は、３色色空間と４色色空間同士の座標変換を行うことで
、３色映像信号を４色映像信号に変換している。
【０００８】
このように、表示パネルに供給する映像信号として、３色映像信号と４色映像信号とが
考えられる。特に、サブディスプレイにおいては、一般的に、メインディスプレイよりも
解像度が小さいものや、表示品位が比較的低いものが採用されることが多い。そこで、メ
インディスプレイに４色映像信号を供給し、サブディスプレイに３色映像信号を供給する
方法が考えられる。
【０００９】
しかしながら、上述した特許文献１〜３においては、いずれも、メイン及びサブパネル
に同一種類の映像信号を供給することが前提であり、異なる種類の映像信号を効果的に各
パネルに供給する手法は考えられていない。
【００１０】
また、多色のカラーフィルタを採用した電気光学装置では、１画素を構成するサブ画素
の数が多くなることに起因して、消費電力が増加する及び周辺回路が大型化すると言う問
題がある。
【００１１】
本発明は、上記問題点に鑑みてなされたものであり、本発明は、４色以上の多色カラー
フィルタを採用した表示パネルと、３色のカラーフィルタを用いた表示パネルとを備えた
電気光学装置であって、小型かつ低消費電力な電気光学装置及び電子機器を提供すること
を目的とする。
【課題を解決するための手段】
【００１２】
本発明に係る電気光学装置は、複数の第１のデータ線と複数の第１の走査線との交差に
対応して設けられた画素であって少なくとも４色以上の着色領域を有するカラーフィルタ
に対応した画素を有し、前記第１のデータ線に供給される画像信号に基づいて表示を行う
第１の表示パネルと、複数の第２のデータ線と複数の第２の走査線との交差に対応して設
けられた画素であって前記第１の表示パネルよりも少ない色数の着色領域を有するカラー
フィルタに対応した画素を有し、前記第２のデータ線に供給される画像信号に基づいて表
示を行う第２の表示パネルと、前記第２の表示パネルに対応した第１の色画像信号が入力
され、当該第１の色画像信号を前記第１の表示パネルに対応した第２の色画像信号に変換
して出力する画像処理回路と、前記第１または第２の走査線に対して走査信号を供給する
とともに、当該走査信号を供給している期間に前記第２または第１の色画像信号を前記第
１のデータ線の一端から供給して前記第１の表示パネルまたは前記第２の表示パネルを駆
動するドライバと、前記第２の表示パネルの表示モード時に、前記第１のデータ線の他端
と前記第２のデータ線の一端とを電気的に接続する中継手段と、前記ドライバに設けられ
、選択信号に基づいて所定本数のデータ線から選択した１本の前記第１のデータ線に対し
て前記第２の色画像信号を時分割した信号を供給するための選択回路と、前記ドライバに
設けられ、所定の期間において前記第１のデータ線に対してプリチャージ電位を供給する
第１のプリチャージ回路と、所定の期間において前記第２のデータ線の他端に所定の電位
を供給する第２のプリチャージ回路と、を具備したことを特徴とする。
【００１３】
このような構成によれば、第１の表示パネルは、少なくとも４色以上の着色領域を有す
る第１のカラーフィルタに対応した画素を有する。また、第２の表示パネルは、第１のカ
ラーフィルタよりも少ない色数の着色領域を有する第２のカラーフィルタに対応した画素
を有する。ドライバは、第１の走査線に走査信号を供給して、第１の表示パネルの画素を
駆動し、第２の走査線に走査信号を供給して、第２の表示パネルの画素を駆動する。画像
処理回路は、第２のカラーフィルタに対応した第１の色映像信号が入力され、第１のカラ
ーフィルタに対応した第２の色映像信号を出力する。第１の表示パネルの表示モード時に
は、経路制御手段は、第１の色映像信号を画像処理回路に与えると共に、画像処理回路か
らの第２の色映像信号をドライバに与える。これにより、第２の色映像信号に基づく画像
が第１の表示パネルで表示される。一方、第２の表示パネルの表示モード時には、第１の
データ線と第２のデータ線とは、中継手段によって電気的に接続され、ドライバは、第１
の色映像信号に基づく画像を第２の表示パネルに表示させる。選択回路は、ドライバに設
けられて、複数の第１のデータ線を第２の色画像信号によってデマルチプレクス駆動する
。これにより、第２の色画像信号を供給するための信号線上に必要な回路、例えば、デジ
タルアナログコンバータ及びアンプ等の数を低減させることができ、低消費電力化が可能
である。また、第１のデータ線の全てに所定のプリチャージ電位を供給する第１のプリチ
ャージ回路が設けられており、選択期間が短い場合でも確実な書込みが可能である。さら
に、第２のデータ線の他方端側にはプリチャージ電位を供給する第２のプリチャージ回路
が設けられる。これにより、第２の表示パネルの表示モード時において第１及び第２のデ
ータ線が接続されて、第１の色画像信号が比較的長い距離伝送される場合でも、第２のデ
ータ線の他方端側にプリチャージ電位が供給されるので、確実な書込みが可能である。
【００１４】
また、本発明の一態様に係る電気光学装置は、前記第２のプリチャージ回路は、前記第
２のデータ線の全てを相互に等電位に設定するスイッチ素子を具備したことを特徴とする
。
【００１５】
このような構成によれば、比較的低い消費電力で、第２の表示パネルの画素を第１の色
画像信号によって駆動することができる。
【００１６】
また、本発明の一態様に係る電気光学装置は、前記画像処理回路は、前記第１及び第２
の色画像信号としてデジタル信号を出力し、前記ドライバは、夫々入力された前記第１ま
たは第２の色画像信号をアナログ信号に変換するデジタルアナログコンバータを有するこ
とを特徴とする。
【００１７】
このような構成によれば、選択回路は、複数の第１のデータ線を第２の色画像信号によ
ってデマルチプレクス駆動する。これにより、第２の色画像信号を供給するための信号線
の数を第１のデータ線の数よりも少なくすることができる。これにより、この信号線上に
設けられるデジタルアナログコンバータの数を少なくすることができ、低消費電力化が可
能である。
【００１８】
また、本発明の一態様に係る電気光学装置は、前記ドライバは、前記第１の表示パネル
を極性反転駆動するものであって、前記プリチャージ回路は、水平帰線期間において前記
第１のデータ線に供給する前記第２の色画像信号の極性と同一極性のプリチャージ電位を
設定することを特徴とする。
【００１９】
このような構成によれば、極性反転駆動に際して、第２の色画像信号の極性と同一極性
のプリチャージ電位が第１のデータ線に供給される。これにより、第１のデータ線に接続
された画素への書込みに要する時間を短縮することができる。
【００２０】
また、本発明の一態様に係る電気光学装置は、前記第２の表示パネルは、前記第２のデ
ータ線に接続された画素電極と、対向電極との間に電気光学物質を介在させて構成される
ものであって、前記第２のプリチャージ回路は、水平走査期間において前記第２のデータ
線を前記対向電極電位に前記スイッチ素子を介して接続することを特徴とする。
【００２１】
このような構成によれば、第２データ線は、対向電極電位と等電位にイコライズされる
。これにより、第２のデータ線に接続された画素への書込みに要する時間を短縮すること
ができる。
【００２２】
また、本発明の一態様に係る電気光学装置は、前記第１の色画像信号は、赤系、緑系及
び青系の３色画像信号であり、前記第２の色画像信号は、少なくとも４色以上の多色画像
信号であることを特徴とする。
【００２３】
このような構成によれば、第１の表示パネルにおいて、色再現性に優れた表示が可能で
ある。
【００２４】
また、本発明の一態様に係る電子機器は、上記電気光学装置によって表示部を構成した
ことを特徴とする。
【００２５】
このような構成によれば、第１の表示パネルと第２の表示パネルに夫々適した画像を、
低い消費電力で表示させることができる。
【発明を実施するための最良の形態】
【００２６】
（第１の実施形態）  
（電気光学装置）  
以下、本実施形態の電気光学装置を図面を参照して説明する。本実施形態の電気光学装
置は、２つの液晶パネルを有する液晶表示装置である。図１は電気光学装置の概略構成を
示す説明図である。
【００２７】
図１を参照して電気光学装置２００の全体構成を説明する。本実施形態の電気光学装置
２００は、図示しない筐体内に、第１の表示パネルであるメイン表示パネル３１と、第２
の表示パネルであるサブ表示パネル５１とが配設されて構成されている。メイン表示パネ
ル３１及びサブ表示パネル５１は、ガラス、石英又は樹脂等で構成された一対の基板であ
るＴＦＴアレイ基板と対向基板との間に電気光学物質である液晶を挟持して構成される液
晶表示パネルである。本実施形態のメイン表示パネル３１及びサブ表示パネル５１は、と
もに透過型のＴＦＴアクティブマトリクス駆動方式の液晶パネルである。
【００２８】
メイン表示パネル３１及びサブ表示パネル５１は、配線基板であるフレキシブル配線基
板（Flexible Printed Circuit；以下、ＦＰＣと称する）２０２により接続されている。
ＦＰＣ２０２は、例えばポリイミド等の電気絶縁性の材料からなるフィルム上に、導電体
である銅箔等によって回路を形成した、可撓性を有する配線基板である。ＦＰＣ２０２に
より、メイン表示パネル３１及びサブ表示パネル５１に形成された接続端子部が、電気的
に接続されている。
【００２９】
また、メイン表示パネル３１には、後述する駆動回路１が実装されたＦＰＣである外部
接続ＦＰＣ２０１が接続されている。ＦＰＣ２０１の一端はメイン表示パネル３１の図示
しない外部接続端子上に接続されており、他端は、電気光学装置２００を制御するための
外部装置であるＬＣＤコントローラ１１に接続される。
【００３０】
メイン表示パネル３１は、中央部に略矩形状の表示領域３２を有する。メイン表示パネ
ル３１のＴＦＴアレイ基板の表示領域３２内には、複数本の走査線３３（第１の走査線）
と複数本のデータ線３４（第１のデータ線）とが交差するように配線されており、走査線
３３とデータ線３４との各交差部分に対応して画素電極３５がマトリクス状に形成されて
いる。また、走査線３３とデータ線３４の各交差部分に対応して画素スイッチング素子で
ある薄膜トランジスタ（Thin Film Transistor；以下、ＴＦＴと称する）３６が形成され
ている。また、メイン表示パネル３１の対向基板の表示領域３２内には、前記画素電極３
５に対向して対向電極４０が形成されている。対向電極４０は、表示領域３２内のすべて
の領域に形成されたいわゆるベタ電極である。
【００３１】
ＴＦＴ３６のソースにはデータ線３４が電気的に接続されており、ＴＦＴ３６のドレイ
ンに画素電極３５が電気的に接続されている。また、ＴＦＴ３６のゲートには走査線３３
が電気的に接続されている。ＴＦＴ３６は走査線３３を介して供給される走査信号によっ
てオン状態となり、これにより、データ線３４に供給される電圧信号である画像信号が画
素電極３５に供給される。また、対向電極４０には、所定の期間ごとに極性が反転する対
向電極電位Ｖｃｏｍが供給される。このＴＦＴアレイ基板上に形成された画素電極３５と
、対向電極４０との間の電圧が液晶に印加される。
【００３２】
一方、サブ表示パネル５１は、メイン表示パネル３１と同様の構成を有する。サブ表示
パネル５１は中央部に略矩形状の表示領域５２を有する。サブ表示パネル５１のＴＦＴア
レイ基板の表示領域５２内には、複数本の走査線５３（第２の走査線）と複数本のデータ
線５４（第２のデータ線）とが交差するように配線されており、走査線５３とデータ線５
４との各交差部分に対応して画素電極５５がマトリクス状に形成されている。また、走査
線５３とデータ線５４の各交差部分に対応して画素スイッチング素子であるＴＦＴ５６が
形成されている。また、サブ表示パネル５１の対向基板の表示領域５２内には、前記画素
電極５５に対向して対向電極６０が形成されている。対向電極６０は、表示領域５２内の
すべての領域に一様に形成されたいわゆるベタ電極である。
【００３３】
ＴＦＴ５６のソースにはデータ線５４が電気的に接続されており、ＴＦＴ５６のドレイ
ンに画素電極５５が電気的に接続されている。また、ＴＦＴ５６のゲートには走査線５３
が電気的に接続されている。ＴＦＴ５６は走査線５３を介して供給される走査信号によっ
てオン状態となり、これにより、データ線５４に供給される電圧信号である画像信号が画
素電極５５に供給される。また、対向電極６０には、所定の期間ごとに極性が反転する対
向電極電位Ｖｃｏｍが供給される。このＴＦＴアレイ基板上に形成された画素電極５５と
、対向電極６０との間の電圧が液晶に印加される。
【００３４】
本実施形態の電気光学装置２００は、メイン表示パネル３１の各データ線３４と、サブ
表示パネル５１内の各データ線５４とを、中継手段である中継部８１を介して電気的に接
続することが可能な構成を有する。中継部８１は、１本のデータ線３４の他端と１本のデ
ータ線５４の一端とを相互に接続するためのスイッチＳＷ４及びバッファ８２が、データ
線５４の数だけ設けられて構成されている。全てのスイッチＳＷ４は、駆動回路１から出
力されて配線７５及び７７を介して入力される切換信号Ｓ＿ＳＥＬにより同時にオン状態
となる構成を有する。バッファ８２は、データ線３４からの映像信号を増幅してデータ線
５４に供給するためのものである。
【００３５】
また、メイン表示パネル３１には、略矩形状の表示領域３２の１辺に沿って、ドライバ
であるチップドライバ部２３０が配設されている。チップライバ部２３０は半導体チップ
であり、ＴＦＴアレイ基板上に実装されている。メイン表示パネル３１及びサブ表示パネ
ル５１は、チップドライバ部２３０によって駆動される。
【００３６】
具体的には、チップドライバ部２３０は、配線７８を介して、メイン表示パネル３１の
各走査線３３に電気的に接続されており、各走査線３３に走査信号を供給する。また、チ
ップドライバ部２３０は、メイン表示パネル３１の各データ線３４の一端に電気的に接続
されており、各データ線３４に画像信号を供給する。これにより、チップドライバ部２３
０はメイン表示パネル３１を駆動する。
【００３７】
また、チップドライバ部２３０は、配線７９を介して、サブ表示パネル５１の各走査線
５３に電気的に接続されており、各走査線５３に走査信号を供給する。また、チップドラ
イバ部２３０は、スイッチＳＷ４がオン状態である場合には、サブ表示パネル５１の各デ
ータ線５４に、データ線３４及び中継部８１を介して電気的に接続されており、各データ
線５４に画像信号を供給する。これにより、チップドライバ部２３０はサブ表示パネル５
１を駆動する。
【００３８】
なお、配線７９は、メイン表示パネル３１内の表示領域３２の外側に配線されて、表示
領域３２の一辺に沿ってサブ表示パネル５１に導かれるようになっている。
【００３９】
本実施形態のメイン表示パネル３１及びサブ表示パネル５１は、カラー表示が可能な液
晶装置であって、表示領域３２、５２には、それぞれ図示しないカラーフィルタが設けら
れている。これらのカラーフィルタは、各画素に対応して原色の着色が施された着色領域
を有する。本実施形態においては、表示領域３２に設けられているカラーフィルタは、各
画素に対応した着色領域の色数が４色であり、４色の着色領域にそれぞれ対応した４つの
サブ画素３７Ｒ、３７Ｇ、３７Ｂ、３７Ｃによって１画素が構成される。一方、表示領域
５２に設けられているカラーフィルタは、各画素に対応した着色領域の色数が３色であり
、３色の着色領域に夫々対応した３つのサブ画素５７Ｒ、５７Ｇ、５７Ｂによって１画素
が構成される。
【００４０】
例えば、サブ表示パネル５１は、Ｒ（赤系）、Ｇ（緑系）、Ｂ（青系）の３色の着色領
域を有するカラーフィルタを採用する。これに対し、メイン表示パネル３１は、Ｒ（赤系
）、Ｇ（緑系）、Ｂ（青系）、Ｃ（シアン系）の４色の着色領域を有するカラーフィルタ
を採用する。
【００４１】
次に、４色の着色領域について以下に詳細に述べる。
【００４２】
着色領域は４色の着色領域で１つの画素を構成する。  
４色の着色領域は、波長に応じて色相が変化する可視光領域（３８０−７８０ｎｍ）の
うち、青系の色相の着色領域、赤系の色相の着色領域と、青から黄までの色相の中で選択
された２種の色相の着色領域からなる。ここで系と用いているが、例えば青系であれば純
粋の青の色相に限定されるものでなく、青紫や青緑等を含むものである。赤系の色相であ
れば、赤に限定されるものでなく橙を含む。また、これら着色領域は単一の着色層で構成
されても良いし、複数の異なる色相の着色層を重ねて構成されても良い。また、これら着
色領域は色相で述べているが、当該色相は、彩度、明度を適宜変更し、色を設定し得るも
のである。
【００４３】
具体的な色相の範囲は、  
青系の色相の着色領域は、青紫から青緑であり、より好ましくは藍から青である。  
赤系の色相の着色領域は、橙から赤である。  
青から黄までの色相で選択される一方の着色領域は、青から緑であり、より好ましく
は青緑から緑である。  
青から黄までの色相で選択される他方の着色領域は、緑から橙であり、より好ましく
は緑から黄である。もしくは緑から黄緑である。
【００４４】
ここで、各着色領域は、同じ色相を用いることはない。例えば、青から黄までの色相で
選択される２つの着色領域で緑系の色相を用いる場合は、他方は一方の緑に対して青系も
しくは黄緑系の色相を用いる。
【００４５】
これにより、従来のＲＧＢの着色領域よりも広範囲の色再現性を実現することができる
。  
他の具体的な例として、着色領域を透過する波長で表現する。  
青系の着色領域は、該領域を透過した光の波長のピークが４１５−５００ｎｍにある
着色領域、好ましくは、４３５−４８５ｎｍにある着色領域である。  
赤系の着色領域は、該領域を透過した光の波長のピークが６００ｎｍ以上にある着色
領域で、好ましくは、６０５ｎｍ以上にある着色領域である。  
青から黄までの色相で選択される一方の着色領域は、該領域を透過した光の波長のピ
ークが４８５−５３５ｎｍにある着色領域で、好ましくは、４９５−５２０ｎｍにある着
色領域である。  
青から黄までの色相で選択される他方の着色領域は、該領域を透過した光の波長のピ
ークが５００−５９０ｎｍにある着色領域、好ましくは５１０−５８５ｎｍにある着色領
域、もしくは５３０−５６５ｎｍにある着色領域である。
【００４６】
この波長は、透過表示の場合は、照明装置からの照明光がカラーフィルタを通して得ら
れた数値である。反射表示の場合は、外光を反射して得られた数値である。
【００４７】
他の具体的な例として、ｘ、ｙ色度図で表現する。
【００４８】
青系の着色領域は、ｘ≦０．１５１、ｙ≦０．２００にある着色領域であり、好まし
くは、０．１３４≦ｘ≦０．１５１、０．０３４≦ｙ≦０．２００にある着色領域である
。  
赤系の着色領域は、０．５２０≦ｘ、ｙ≦０．３６０にある着色領域であり、好まし
くは、０．５５０≦ｘ≦０．６９０、０．２１０≦ｙ≦０．３６０にある着色領域である
。  
青から黄までの色相で選択される一方の着色領域は、ｘ≦０．２００、０．２１０≦
ｙにある着色領域であり、好ましくは、０．０８０≦ｘ≦０．２００、０．２１０≦ｙ≦
０．７５９にある着色領域である。  
青から黄までの色相で選択される他方の着色領域は、０．２５７≦ｘ、０．４５０≦
ｙにある着色領域であり、好ましくは、０．２５７≦ｘ≦０．５２０、０．４５０≦ｙ≦
０．７２０にある着色領域である。  
このｘ、ｙ色度図は、透過表示の場合は、照明装置からの照明光がカラーフィルタを
通して得られた数値である。反射表示の場合は、外光を反射して得られた数値である。  
これら４色の着色領域は、サブ画素に透過領域と反射領域を備えた場合、透過領域及
び反射領域も上述した範囲で適用することができるものである。
【００４９】
バックライトとして、ＲＧＢの光源としてＬＥＤ、蛍光管、有機ＥＬを用いても良い。
または白色光源を用いても良い。なお、白色光源は青の発光体とＹＡＧ蛍光体により生成
される白色光源でもよい。
【００５０】
ＲＧＢ光源としては、以下のものが好ましい。  
Ｂは発光した光の波長のピークが４３５ｎｍ−４８５ｎｍにあるもの  
Ｇは発光した光の波長のピークが５２０ｎｍ−５４５ｎｍにあるもの  
Ｒは発光した光の波長のピークが６１０ｎｍ−６５０ｎｍにあるもの  
そして、ＲＧＢ光源の波長によって、上記カラーフィルタを適切に選定すればより広
範囲の色再現性を得ることができる。  
また、波長が例えば、４５０ｎｍと５６５ｎｍにピークがくるような、複数のピーク
を持つ光源を用いても良い。
【００５１】
上記４色の着色領域の構成の例として、以下のものがあげられる。  
色相が、赤、青、緑、シアン（青緑）の着色領域  
色相が、赤、青、緑、黄の着色領域  
色相が、赤、青、深緑、黄の着色領域  
色相が、赤、青、エメラルド、黄の着色領域  
色相が、赤、青、深緑、黄緑の着色領域  
色相が、赤、青緑、深緑、黄緑の着色領域
すなわち、本実施形態の電気光学装置２００は、４色の着色領域を有するカラーフィル
タを有するメイン表示パネル３１と、３色の着色領域を有するカラーフィルタを有するサ
ブ表示パネル５１とを具備して構成されるものであり、メイン表示パネル３１は、サブ表
示パネル５１の色再現範囲よりも広い色再現範囲を有するものである。
【００５２】
サブ表示パネル５１には、Ｒ（赤系）、Ｇ（緑系）、Ｂ（青系）の３色の情報（色成分
）を有した映像信号である３色映像信号（第１の色画像信号）が、データ線３４及び中継
部８１を介して、チップドライバ２３０から供給される。一方、メイン表示パネル３１に
は、Ｒ（赤系）、Ｇ（緑系）、Ｂ（青系）、Ｃ（シアン系）の４色の情報（色成分）を有
した映像信号である４色映像信号（第２の色画像信号）が、チップドライバ２３０から供
給される。
【００５３】
３色画像信号及び４色画像信号は、チップドライバ部２３０に、後述する駆動回路１か
ら信号線７２を介して供給される。また、チップドライバ部２３０には、駆動回路１から
配線７６を介して電源電圧も供給される。さらに、チップドライバ部２３０には、配線７
３、７５を介して表示モードの切換えの指示信号である切換信号Ｍ＿ＳＥＬ及びＳ＿ＳＥ
Ｌが与えられるようになっている。
【００５４】
表示モードとしては、メイン表示パネル３１を用いた表示モード（以下、メイン表示モ
ードという）とサブ表示パネル５１を用いた表示モード（以下、サブ表示モードという）
とがある。切換信号Ｍ＿ＳＥＬはメイン表示モードを設定するためのものであり、切換信
号Ｓ＿ＳＥＬはサブ表示モードを設定するためのものである。チップドライバ部２３０は
、切換信号Ｍ＿ＳＥＬが入力されると、メイン表示パネル３１の表示領域３２の各画素を
駆動するための走査信号及び映像信号を出力し、切換信号Ｓ＿ＳＥＬが入力されると、サ
ブ表示パネル５１の表示領域５２の各画素を駆動するための走査信号及び映像信号を出力
する。
【００５５】
例えば、本実施形態の電気光学装置２００を折り畳み式の携帯電話機に搭載した場合に
は、表示モードの切換えは、携帯電話機の折り畳みの開閉の状態応じて発生させるように
することができる。本実施形態では、携帯電話機が開状態とされた場合（使用状態）には
、メイン表示モードが設定され、携帯電話機が閉状態とされた場合（待受け状態）には、
サブ表示モードが設定される。
【００５６】
すなわち、本実施形態において、メイン表示モード時には、チップドライバ部２３０に
は、メイン表示モードを指定する切換信号Ｍ＿ＳＥＬと共に、４色映像信号が供給される
ようになっている。そして、メイン表示モード時には、チップドライバ部２３０は、４色
映像信号を、表示領域３２内の各データ線３４に供給し、メイン表示パネル３１を駆動す
る。
【００５７】
また、サブ表示モード時には、チップドライバ部２３０には、サブ表示モードを指定す
る切換信号Ｓ＿ＳＥＬと共に、３色映像信号が供給されるようになっている。そして、サ
ブ表示モード時には、チップドライバ部２３０は、３色映像信号を表示領域５２内の各デ
ータ線５４に供給し、サブ表示パネル５１を駆動する。
【００５８】
本実施形態においては、表示領域３２の４色のサブ画素のうち表示領域５２に対応して
いないサブ画素３７Ｃに映像信号を供給するデータ線３４については、中継部８１による
中継は行わないようになっている。中継部８１は、切換信号Ｓ＿ＳＥＬによってサブ表示
モードが指定されると、サブ画素５７Ｒ、５７Ｇ及び５７Ｂに接続されたデータ線５４の
一端を、サブ画素３７Ｒ、３７Ｇ及び３７Ｂに接続されたデータ線３４の他端に接続する
。
【００５９】
本実施形態においては、中継部８１を設けることで、サブ表示パネル５１内のデータ線
５４に、メイン表示パネル３１内のデータ線３４を経由して映像信号を供給している。サ
ブ表示パネル５１への映像信号の伝送に際して、メイン表示パネル３１の表示領域５２の
外側の領域に、表示領域５２の辺に沿ってチップドライバ部２３０から各データ線５４ま
で延設された配線を設ける必要がないことから、装置の小型化が可能である。
【００６０】
なお、中継部８１のスイッチＳＷ４及びバッファ８２は、データ線５４の数だけ設ける
ものとして説明したが、メイン表示パネル３１とサブ表示パネル５１のうちデータ線の数
が少ないパネルのデータ線の数だけ設ければよい。
【００６１】
図２は信号線７２に４色映像信号又は３色映像信号を供給すると共に、配線７６に電源
電圧を供給し、配線７３及び７５に切換信号Ｍ＿ＳＥＬ、Ｓ＿ＳＥＬを供給する駆動回路
１の概略構成を示すブロック図である。また、図３は駆動回路１から出力される映像信号
を説明するタイミングチャートである。
【００６２】
まず、３色映像信号及び、４色映像信号の構成について説明する。３色映像信号は、図
３に示すように、１水平走査期間（以下、１Ｈ期間と称する）毎に、時分割にＲ用、Ｇ用
及びＢ用の映像信号が多重化された、いわゆるマルチプレクスされた映像信号である。ま
た、４色映像信号は、１水平走査期間毎に、時分割でＲ用、Ｇ用、Ｂ用及びＣ用の映像信
号がマルチプレクスされた映像信号である。
【００６３】
駆動回路１は、外部装置であるＬＣＤコントローラ１１からの映像信号と各種コマンド
信号を受信する。駆動回路１は、インターフェースコントロール回路（以下、Ｉ／Ｆコン
トロール回路という）１２と、コマンド制御回路１３と、画像処理回路１４と、ラッチ回
路１６と、ガンマ（γ）補正回路（以下、ガンマ（γ）回路という）１７と、スイッチ切
換制御回路１９とを有して構成されている。
【００６４】
Ｉ／Ｆコントロール回路１２には、ＬＣＤコントローラ１１からの映像信号等が入力さ
れる。なお、ＬＣＤコントローラ１１から供給される映像信号は、ＲＧＢの３色の情報を
有する３色映像信号が供給されるものとする。Ｉ／Ｆコントロール回路１２は、入力され
た映像信号等を所定の単位、例えば８ビット毎にコマンド制御回路１３へ出力する。
【００６５】
コマンド制御回路１３は、入力された信号を信号の種類に応じて出力先を切り替える回
路であり、入力された信号が映像信号であれば画像処理回路１４へ出力し、コマンド信号
であればスイッチ切換制御回路１９へ出力する。映像信号は、所定の単位で所定のタイミ
ングで画像処理回路１４へ出力される。例えば、コマンド制御回路１３は、２４ビットの
単位で映像信号を、１クロック（CLK）毎に画像処理回路１４へ出力する。
【００６６】
また、コマンド制御回路１３には、信号MODEも入力されるようになっており、この信号
MODEによって、表示モードが指示されるようになっている。表示モードとしては、メイン
表示パネル３１を用いた表示モード（以下、メイン表示モードという）とサブ表示パネル
５１を用いた表示モード（以下、サブ表示モードという）とがある。コマンド制御回路１
３は、これらの表示モードの指定に応じて、画像処理回路１４へクロック信号（CLK）を
供給、あるいは画像処理回路１４へのクロック信号（CLK）の供給を停止すると共に、ス
イッチ切換制御回路１９を制御する。具体的には、コマンド制御回路１３は、表示モード
がメイン表示モードのときには、クロック信号（CLK）を画像処理回路１４へ供給し、サ
ブ表示モードのときには、画像処理回路１４へのクロック信号（CLK）の供給を停止する
。
【００６７】
なお、例えば、本実施形態の電気光学装置２００を折り畳み式の携帯電話機に搭載した
場合には、表示モードの切換えは、携帯電話機の折り畳みの開閉の状態応じて発生させる
ようにすることができる。本実施形態では、携帯電話機が開状態とされた場合（使用状態
）には、メイン表示モードが設定され、携帯電話機が閉状態とされた場合（待受け状態）
には、サブ表示モードが設定される。
【００６８】
画像処理回路１４は、ＲＧＢの３色の情報を有する３色映像信号を、先に述べた４色映
像信号に変換する色変換回路を有して構成される。サブ表示モード時には、クロック信号
CLKは、画像処理回路１４へ入力されないので、画像処理回路１４は駆動動作を停止する
。
【００６９】
画像処理回路１４は、RAM等のラッチ回路１６へ所定の単位で選択した映像信号を出力
する。
【００７０】
ガンマ回路１７は、ガンマ補正のための回路であり、映像信号にガンマ補正を施して、
ガンマ補正された映像信号を信号線７２に出力する。また、駆動回路１は、ＬＣＤコント
ローラ１１からの電源電圧が配線７６を介して出力するようになっている。
【００７１】
本実施形態においては、コマンド制御回路１３からの映像信号はスイッチＳＷ１を介し
て画像処理回路１４に供給されるようになっている。画像処理回路１４からの映像信号は
、スイッチＳＷ２を介してラッチ回路１６に供給されるようになっている。また、スイッ
チＳＷ１からの映像信号が画像処理回路１４を介することなくラッチ回路１６に供給する
ための迂回路が設けられており、この迂回路途中にもスイッチＳＷ３が設けられている。
【００７２】
これらのスイッチＳＷ１、ＳＷ２、ＳＷ３及び上述したメイン表示パネル３１のスイッ
チＳＷ４は、経路制御手段を構成する。各スイッチＳＷ１〜ＳＷ４は、スイッチ切換制御
回路１９によって切換制御されるようになっている。
【００７３】
スイッチ切換制御回路１９は、コマンド制御回路１３からの選択制御信号（SELL）に基
づいて、スイッチＳＷ１〜ＳＷ４を切り換える。即ち、スイッチ切換制御回路１９は、メ
イン表示モードが設定された場合には、選択制御信号（SELL）に基づいて、スイッチＳＷ
１、ＳＷ２に切換信号Ｍ＿ＳＥＬを与えてオンにし、スイッチＳＷ３、ＳＷ４に切換信号
Ｓ＿ＳＥＬを与えてオフさせる。また、スイッチ切換制御回路１９は、サブ表示モードが
設定された場合には、選択制御信号（SELL）に基づいて、スイッチＳＷ１、ＳＷ２に切換
信号Ｍ＿ＳＥＬを与えてオフにし、スイッチＳＷ３、ＳＷ４に切換信号Ｓ＿ＳＥＬを与え
てオンさせる。
【００７４】
上述したように、スイッチ切換制御回路１９からの切換信号Ｍ＿ＳＥＬは、配線７３を
介してメイン表示パネル３１内のチップドライバ部２３０にも与えられ、切換信号Ｓ＿Ｓ
ＥＬは、配線７５、７７を介してメイン表示パネル３１内のチップドライバ部２３０及び
スイッチＳＷ４にも与えられる。
【００７５】
上述の構成を有する駆動回路１の動作について図２及び図３を参照して説明する。
【００７６】
ＬＣＤコントローラ１１から出力された３色映像信号は、Ｉ／Ｆコントロール回路１２
を介してコマンド制御回路１３に入力される。コマンド制御回路１３には信号MODEも入力
されており、コマンド制御回路１３は、信号MODEで指定された表示モードに応じて動作す
る。
【００７７】
まず、メイン表示モードが指定されている場合の駆動回路１の動作を説明する。  
この場合には、コマンド制御回路１３は、画像処理回路１４へクロック信号（CLK）を
供給し、かつ、メイン表示モードを指示するための選択信号（SELL）をスイッチ切換制御
回路１９に出力する。
【００７８】
スイッチ切換制御回路１９は、メイン表示モードが指示されると、スイッチＳＷ１及び
ＳＷ２に切換信号Ｍ＿ＳＥＬを与えてオンにし、スイッチＳＷ３及びＳＷ４に切換信号Ｓ
＿ＳＥＬを与えてオフさせる。
【００７９】
すると、コマンド制御回路１３からの３色映像信号は、スイッチＳＷ１を介して画像処
理回路１４に与えられる。なお、スイッチＳＷ３はオフなので、コマンド制御回路１３か
らの３色映像信号は、直接ラッチ回路１６に供給されることはない。
【００８０】
画像処理回路１４は、クロック信号(CLK)が供給されて動作する。図２に示すように、
画像処理回路１４は入力された３色映像信号を、ＲＧＢＣの４色映像信号に変換して出力
する。
【００８１】
画像処理回路１４からの４色映像信号はラッチ回路１６を介してガンマ回路１７に供給
されて、ガンマ補正される。ガンマ補正された４色映像信号は信号線７２に供給される。
信号線７２に伝送された４色映像信号は、メイン表示パネル３１のチップドライバ部２３
０に供給される。一方、ＬＣＤコントローラ１１からは電源電圧が配線７６を介してチッ
プドライバ部２３０に供給される。
【００８２】
メイン表示パネル３１のチップドライバ部２３０は、電源電圧が供給されて動作を開始
し、走査信号を各走査線３３に供給する。また、チップドライバ部２３０は４色映像信号
を各データ線３４に供給する。こうして、メイン表示パネル３１の表示領域３２中の各画
素は４色映像信号に基づいて駆動される。即ち、表示領域３２において、４色映像信号に
基づく、カラー表示が行われる。
【００８３】
なお、中継部８１内のスイッチＳＷ４がオフであり、サブ表示パネル５１には映像信号
が供給されておらず、また、チップドライバ部２３０は、配線７９に走査信号を供給して
おらず、サブ表示パネル５１は動作停止状態である。
【００８４】
次に、サブ表示モードが指定されている場合の駆動回路１の動作を説明する。  
この場合には、コマンド制御回路１３は、画像処理回路１４へのクロック信号（CLK）
の供給を停止する。また、コマンド制御回路１３は、サブ表示モードを指示するための選
択制御信号（SELL）をスイッチ切換制御回路１９に出力する。
【００８５】
スイッチ切換制御回路１９は、サブ表示モードが指示されると、スイッチＳＷ１、ＳＷ
２に切換信号Ｍ＿ＳＥＬを与えてオフにし、スイッチＳＷ３、ＳＷ４に切換信号Ｓ＿ＳＥ
Ｌを与えてオンさせる。
【００８６】
すると、コマンド制御回路１３からの３色映像信号は、スイッチＳＷ３を介して直接ラ
ッチ回路１６に供給される。なお、スイッチＳＷ１、ＳＷ２はオフで、画像処理回路１４
にはクロック信号(CLK)も供給されておらず、画像処理回路１４の動作は停止している。
【００８７】
ラッチ回路１６からの３色映像信号はガンマ回路１７に供給されて、ガンマ補正される
。ガンマ補正された３色映像信号は信号線７２に出力される。信号線７２に伝送された３
色映像信号は、メイン表示パネル３１内のチップドライバ部２３０に供給される。また、
LCDコントローラ１１からの電源電圧は、配線７６を介してチップドライバ部２３０に供
給される。こうして、チップドライバ部２３０は動作を開始して、サブ表示パネル５１用
の走査信号を発生して、配線７９を介してサブ表示パネル５１の各走査線５３に供給する
。
【００８８】
一方、チップドライバ部２３０は、３色映像信号をメイン表示パネル３１の表示領域３
２内の各データ線３４に供給する。即ち、チップドライバ部２３０は、Ｒ映像信号をサブ
画素３７Ｒに接続されたデータ線に供給し、Ｇ映像信号をサブ画素３７Ｇに接続されたデ
ータ線に供給し、Ｂ映像信号をサブ画素３７Ｂに接続されたデータ線に供給する。この場
合には、中継部８１のスイッチＳＷ４はオンであり、サブ画素３７Ｒ、３７Ｇ、３７Ｂに
夫々接続されたデータ線３４は、中継部８１を介して夫々サブ表示パネル５１内のサブ画
素５７Ｒ、５７Ｇ、５７Ｂに夫々接続されたデータ線に接続される。即ち、表示領域３２
内の各データ線３４に供給された３色映像信号は、サブ表示パネル５１内の表示領域５２
内の対応する各データ線５４に供給されることになる。
【００８９】
こうして、サブ表示モードでは、サブ表示パネル５１の表示領域５２において、３色映
像信号に基づくカラー画像表示が行われる。
【００９０】
なお、この場合には、上述したように、画像処理回路１４は動作停止状態である。また
、チップドライバ部２３０は配線７８に走査信号を供給しておらず、メイン表示パネル３
１の表示領域３２は動作停止状態である。
【００９１】
次に、メイン表示パネル３１の詳細な構成及び動作について、図４及び図５を参照して
説明する。図４は、メイン表示パネル３１の構成を説明する説明図である。図５は、メイ
ン表示パネル３１の、１Ｈ期間内における画素に供給される信号の様子を説明するための
タイミングチャートである。
【００９２】
メイン表示パネル３１上のチップドライバ部２３０は、走査ドライバ部３９及びデータ
ドライバ部３８を有して構成されている。以下においては、メイン表示パネル３１に形成
されたある１つの画素３７を構成する４つのサブ画素３７Ｒ、３７Ｇ、３７Ｂ及び３７Ｃ
と、該画素３７に画像信号を供給するデータドライバ部３８について着目して説明する。
【００９３】
また、本実施形態のメイン表示パネル３１は、対向電極電位Ｖｃｏｍが１Ｈ期間毎に極
性が反転し、さらにこの対向電極電位Ｖｃｏｍを基準とした画像信号の極性も１Ｈ期間毎
に反転する、いわゆる１Ｈコモン反転駆動（極性反転駆動）が行われる液晶装置である。
【００９４】
データドライバ部３８は、データ線３４Ｒ、３４Ｇ、３４Ｂ及び３４Ｃを介して、それ
ぞれサブ画素３７Ｒ、３７Ｇ、３７Ｂ及び３７Ｃに電気的に接続されている。
【００９５】
データドライバ部３８は、いわゆるプリチャージ及びデマルチプレクス駆動を行う液晶
駆動回路であり、選択回路であるデマルチプレクサ回路３１０と、プリチャージ回路３２
０（第１のプリチャージ回路）と、デジタル／アナログ変換回路（Digital to Analog Co
nverter；以下ＤＡＣと称する）３３０と、ラッチ回路３４０とを具備して構成されてい
る。
【００９６】
ラッチ回路３４０は、駆動回路１から供給される４色映像信号から、ある同一の走査線
３３に接続されている各画素の表示データを取り込み、該表示データを各画素に対応して
設けられたＤＡＣ３３０へ出力する回路である。ここで、１画素の表示データには、図３
に示したように、ＲＧＢＣの各４色に対応する表示データがシリアルに含まれている。
【００９７】
ＤＡＣ３３０は、ラッチ回路３４０から入力される表示データに対応したアナログの電
圧信号である画像信号ＳｉｇＲＧＢＣを出力する回路である。ＤＡＣ３３０は、画像信号
供給線３３１を介してデマルチプレクサ回路３１０に電気的に接続されている。
【００９８】
デマルチプレクサ回路３１０は、各データ線３４Ｒ、３４Ｇ、３４Ｂ及び３４Ｃと、画
像信号供給線３３１とをそれぞれ接続する選択スイッチ３１１、３１２、３１３及び３１
４を具備して構成されている。デマルチプレクサ回路３１０は、当該画素３７の選択期間
中に画素３７に接続されている所定本数のデータ線３４Ｒ、３４Ｇ、３４Ｂ及び３４Ｃの
うちから、選択信号であるオン信号ＳＥＬＲ、ＳＥＬＧ、ＳＥＬＢ及びＳＥＬＣに基づい
て順次１本を選択し、ＤＡＣ３３０から入力される画像信号から各サブ画素３７Ｒ、３７
Ｇ、３７Ｂ及び３７Ｃ用の色成分である画像信号ＳｉｇＲ、ＳｉｇＧ、ＳｉｇＢ及びＳｉ
ｇＣを、それぞれ各データ線３４Ｒ、３４Ｇ、３４Ｂ及び３４Ｃに供給する回路である。
【００９９】
例えば、画像信号ＳｉｇＲＧＢＣのうちの画像信号ＳｉｇＲが入力される所定のタイミ
ングで、選択信号であるオン信号ＳＥＬＲが入力されて選択スイッチ３１１がオン状態と
されることにより、画像信号ＳｉｇＲは、データ線３４Ｒを介して画素３７Ｒに供給され
る。画像信号ＳｉｇＲが所定の時間間隔だけ画素３７Ｒに供給された後に、選択スイッチ
３１１はオフ状態とされる。  
言い換えれば、デマルチプレクサ回路３１０は、ＤＡＣ３３０から入力される画像信号
ＳｉｇＲＧＢＣに対してシリアル−パラレル変換を行う回路である。
【０１００】
また、プリチャージ回路３２０は、所定の極性及び所定の電位を有するプリチャージ信
号ＶＰ（プリチャージ電位）を、水平帰線期間において画像信号供給線３３１に供給する
回路である。プリチャージ信号ＶＰは、図示しない電圧生成回路から出力され、プリチャ
ージ信号線３２２及びプリチャージスイッチ３２１を介して画像信号供給線３３１に供給
される。
【０１０１】
プリチャージ信号ＶＰは、対向電極電位Ｖｃｏｍを基準とした場合に、画像信号と同一
極性であり、かつ対向電極電位Ｖｃｏｍと画像信号との中間となる電位を有する信号であ
る。本実施形態では、対向電極電位Ｖｃｏｍを基準とした画像信号の電位の半分の電位が
、プリチャージ信号ＶＰとして、画像信号供給線３３１に供給される。プリチャージ信号
ＶＰは、プリチャージスイッチ３２１の開閉により、所定のタイミングで画像信号供給線
３３１に供給される。
【０１０２】
図５を参照して、データドライバ部３８の動作を説明する。なお、以下の動作は、電気
光学装置２００が、メイン表示モードの状態である場合に実施されるものである。
【０１０３】
当該画素３７を選択するための走査信号Ｈｓｙｎｃが供給されるのに先立って、帰線期
間ＴＢ中の所定の期間だけ、プリチャージスイッチ３２１にＰＣオン信号ＳＥＬＰＣが供
給され、プリチャージスイッチ３２１がオン状態とされる。またＰＣオン信号ＳＥＬＰＣ
と同じタイミングで、デマルチプレクサ回路３１０の選択スイッチ３１１、３１２、３１
３及び３１４に、それぞれ選択信号であるオン信号ＳＥＬＲ、ＳＥＬＧ、ＳＥＬＧ及びＳ
ＥＬＣが供給される。これにより、水平帰線期間ＴＢ中の所定の期間だけ、各データ線３
４Ｒ、３４Ｇ、３４Ｂ及び３４Ｃにプリチャージ信号ＶＰが供給され、画素３７への書込
みに先立ってプリチャージが行われる。
【０１０４】
プリチャージ後は、プリチャージスイッチ３２１、選択スイッチ３１１、３１２、３１
３及び３１４はオフ状態とされる。この状態では、各データ線３４Ｒ、３４Ｇ、３４Ｂ及
び３４Ｃは、ハイインピーダンス（Ｈｉ−ｚ）状態となるため、プリチャージされた電荷
は維持される。
【０１０５】
次に、画素３７の各サブ画素３７Ｒ、３７Ｇ、３７Ｂ及び３７ＣのＴＦＴのゲートに走
査信号Ｈｓｙｎｃが供給され、ＴＦＴがオン状態とされる。この各サブ画素３７Ｒ、３７
Ｇ、３７Ｂ及び３７ＣのＴＦＴがオン状態とされている状態の期間を、以下、選択期間と
称する。
【０１０６】
次に、オン信号ＳＥＬＲ、ＳＥＬＧ、ＳＥＬＧ及びＳＥＬＣが、選択期間を４分割した
期間だけ、選択スイッチ３１１、３１２、３１３及び３１４に供給される。これにより、
画像信号ＳｉｇＲＧＢＣに含まれる各色用の成分である画像信号ＳｉｇＲ、ＳｉｇＧ、Ｓ
ｉｇＢ及びＳｉｇＣが、それぞれサブ画素３７Ｒ、３７Ｇ、３７Ｂ及び３７Ｃに書き込ま
れる。なお、各サブ画素３７Ｒ、３７Ｇ、３７Ｂ及び３７Ｃに、それぞれ画像信号Ｓｉｇ
Ｒ、ＳｉｇＧ、ＳｉｇＢ及びＳｉｇＣを書き込む期間は均等でなくともよい。
【０１０７】
次に、サブ表示パネル５１の詳細な構成及び動作について、図６及び図７を参照して説
明する。図６は、サブ表示パネル５１の構成を説明する説明図である。図７は、サブ表示
パネル５１の、１Ｈ期間内における画素に供給される信号の様子を説明するためのタイミ
ングチャートである。
【０１０８】
以下においては、サブ表示パネル５１に形成されたある１つの画素５７を構成する３つ
のサブ画素５７Ｒ、５７Ｇ及び５７Ｂと、該画素５７にプリチャージ信号を供給するプリ
チャージ回路５２０について着目して説明する。
【０１０９】
また、本実施形態のサブ表示パネル５１は、図示しない電圧生成回路から対向電極６０
に供給される電位である対向電極電位Ｖｃｏｍの極性が１Ｈ期間毎に反転し、さらにこの
対向電極電位Ｖｃｏｍを基準とした画像信号の極性も１Ｈ期間毎に反転する、いわゆる１
Ｈコモン反転駆動（極性反転駆動）が行われる液晶装置である。
【０１１０】
サブ画素５７Ｒ、５７Ｇ及び５７Ｂは、前述のように、それぞれデータ線５４Ｒ、５４
Ｇ及び５４Ｂを介して、チップドライバ部２３０に電気的に接続されている。サブ表示モ
ード時において、データ線５４Ｒ、５４Ｇ及び５４Ｂの一端には、前述のように、デマル
チプレクサ回路３１０を具備したチップドライバ部２３０から、それぞれ画像信号Ｓｉｇ
Ｒ、ＳｉｇＧ及びＳｉｇＢが供給される。
【０１１１】
一方、データ線５４Ｒ、５４Ｇ及び５４Ｂの、画像信号ＳｉｇＲ、ＳｉｇＧ及びＳｉｇ
Ｂが供給される一端とは反対側となる他端側には、プリチャージ回路５２０（第２のプリ
チャージ回路）が電気的に接続されている。
【０１１２】
プリチャージ回路５２０は、１Ｈ毎に反転する所定の極性及び所定の電位を有するプリ
チャージ信号ＶＰを、データ線５４Ｒ、５４Ｇ及び５４Ｂの他端に供給する回路である。
プリチャージ信号ＶＰは、電圧生成回路５２１と、極性選択回路５２２とを具備して構成
される。電圧生成回路５２１は、所定の電位を有する電圧信号であるプリチャージ信号Ｖ
Ｐを生成する。プリチャージ信号ＶＰは、極性選択回路により正極性又は負極性の電圧信
号として、データ線５４Ｒ、５４Ｇ及び５４Ｂの他端に、プリチャージスイッチ５２３、
５２４及び５２５を介して供給される。
【０１１３】
プリチャージ信号ＶＰは、対向電極電位Ｖｃｏｍを基準とした場合に、画素５７に供給
される画像信号と同一極性であり、かつ対向電極電位Ｖｃｏｍと画像信号との中間となる
電位を有する信号である。本実施形態では、対向電極電位Ｖｃｏｍを基準とした画像信号
の電位の半分の値となる電位が、プリチャージ信号ＶＰとして、画像信号供給線３３１に
供給される。プリチャージ信号ＶＰは、プリチャージスイッチ５２３、５２４及び５２５
の開閉により、所定のタイミングでデータ線５４Ｒ、５４Ｇ及び５４Ｂの他端側に供給さ
れる。
【０１１４】
図７を参照して、サブ表示パネル５１の動作を説明する。なお、以下の動作は、電気光
学装置２００が、サブ表示モードの状態である場合に実施されるものである。
【０１１５】
当該画素５７を選択するための走査信号Ｈｓｙｎｃが供給されるのに先立って、水平帰
線期間ＴＢ中の所定の期間だけ、プリチャージスイッチ５２３、５２４及び５２５にＰＣ
オン信号ＳＥＬＰＣが供給され、プリチャージスイッチ５２３、５２４及び５２５がオン
状態とされる。これにより、画素５７の各データ線５４Ｒ、５４Ｇ及び５４Ｂの他端と電
圧生成回路５２１とが電気的に接続される。よって、水平帰線期間ＴＢ中の所定の期間だ
け、各サブ画素５７Ｒ、５７Ｇ及び５７Ｂにプリチャージ信号ＶＰが供給され、画素５７
への書込みに先立ってプリチャージが行われる。
【０１１６】
プリチャージ後は、プリチャージスイッチ５２３、５２４及び５２５はオフ状態とされ
る。この状態では、各データ線５４Ｒ、５４Ｇ及び５４Ｂは、ハイインピーダンス（Ｈｉ
−ｚ）状態となるため、プリチャージされた電荷が維持される。
【０１１７】
次に、画素５７の各サブ画素５７Ｒ、５７Ｇ及び５７ＢのＴＦＴのゲートに走査信号Ｈ
ｓｙｎｃが供給され、ＴＦＴがオン状態とされる。この各サブ画素５７Ｒ、５７Ｇ及び５
７ＢのＴＦＴがオン状態とされている状態の期間を、以下、選択期間と称する。
【０１１８】
次に、オン信号ＳＥＬＲ、ＳＥＬＧ及びＳＥＬＧが、選択期間を３分割した期間だけ、
選択スイッチ３１１、３１２及び３１３に供給される。これにより、画像信号ＳｉｇＲＧ
Ｂに含まれる各色用の成分である画像信号ＳｉｇＲ、ＳｉｇＧ及びＳｉｇＢが、それぞれ
サブ画素５７Ｒ、５７Ｇ及び５７Ｂに書き込まれる。
【０１１９】
上述のように、本実施形態の電気光学装置２００は、ＲＧＢＣの４色の着色領域を有す
るカラーフィルタを具備して構成されるメイン表示パネル３１と、ＲＧＢの３色の着色領
域を有するカラーフィルタを具備して構成されるサブ表示パネル５１とを有して構成され
ている。電気光学装置２００には、従来の電気光学装置と同様にＲＧＢの３色の色情報を
含んだ３色映像信号が入力される。
【０１２０】
メイン表示モードが選択された場合には、３色映像信号は、駆動回路１において４色映
像信号に変換され、メイン表示パネル３１の表示領域３２に表示される。このとき、サブ
表示パネル５１の動作は停止されている。
【０１２１】
一方、サブ表示モードが選択された場合には、３色映像信号は、変換されずにサブ表示
パネル５１の表示領域５２に表示される。このとき、メイン表示パネル３１の動作は停止
されている。また、駆動回路１の画像処理回路１４の動作も停止されている。
【０１２２】
このように、本実施形態の電気光学装置２００は、一方の表示パネルで画像の表示を行
っている場合には、他方の表示パネル及び他方の表示パネルを駆動するための回路の動作
を停止させることができる。これにより、電気光学装置２００の低消費電力化を図ること
ができる。
【０１２３】
また、本実施形態では、メイン表示パネル３１及びサブ表示パネル５１は、同一のチッ
プドライバ部２３０に具備された選択回路であるデマルチプレクサ回路３１０を具備した
データドライバ部３８により駆動される。
【０１２４】
この駆動方法により、各データ線にそれぞれＤＡＣ回路及びアンプ回路を配設する必要
がなく、本実施形態では、データ線数の１／４又は１／３の数だけ配設すればよい。ＤＡ
Ｃ回路は、電気光学装置の駆動回路の中で占める面積の割合が大きく、また、消費する電
力の割合も大きい回路である。特に本実施形態のメイン表示パネル３１のように、従来と
同じ画素数の電気光学装置でカラーフィルタの着色領域の色数を従来の３色よりも多くし
た場合、色数の増加に比例してデータ線数が増加するため、消費電力が増加し、さらに駆
動回路が大型化してしまうと言う問題があった。
【０１２５】
しかしながら、本実施形態によれば、従来の各データ線にそれぞれＤＡＣ回路を設ける
形態に比して、ＤＡＣ回路の数を１／４にすることができる。これにより、本実施形態の
電気光学装置２００では、駆動回路の小型化及び低消費電力化を図ることができるのであ
る。また、本実施形態では、サブ表示パネル５１にはドライバ回路が実装されておらず、
一つの半導体チップであるチップドライバ部２３０により、電気光学装置２００は駆動さ
れる。これにより、さらに小型化を図ることができる。
【０１２６】
また、メイン表示パネル３１は、プリチャージ回路３２０を具備したデータドライバ部
３８により、各画素への画像信号の書込みに先立って、データ線に所定の電位が供給され
る（プリチャージが行われる）。上述のようなデマルチプレクス駆動を行う場合、特に本
実施形態のメイン表示パネル３１のように、従来と同じ画素数の電気光学装置でカラーフ
ィルタの着色領域の色数を従来の３色よりも増やした場合には、サブ画素を選択する期間
、すなわちサブ画素に画像信号を書き込む期間が、従来に比して短くなってしまう。サブ
画素に画像信号を書き込む期間が短くなり書き込む期間が不足する場合、表示される画像
のコントラストの低下、さらには画像が表示されないという表示品位の悪化が発生してし
まう。
【０１２７】
しかしながら、本実施形態によれば、４色のカラーフィルタを用いつつ、プリチャージ
を行うことによって、画像信号の書込み不足による表示品位の悪化を防ぐことが可能とな
るため、従来に比してより色再現性及び表示品位を向上させることが可能となる。
【０１２８】
一方、サブ表示パネル５１は、プリチャージ回路５２０により、各画素への画像信号の
書込みに先立って、データ線に所定の電位が供給される（プリチャージが行われる）。ま
た、本実施形態では、サブ表示パネル５１において、プリチャージ信号ＶＰは、データ線
５４の画像信号が供給される一端とは反対側となる他端に供給される。本実施形態のよう
にメイン表示パネル側３１に搭載されたチップドライバ部２３０からの画像信号によりサ
ブ表示パネルを駆動する場合、配線が長くなることに起因する寄生容量により、画像信号
に遅延及び劣化が生じてしまうと言う問題がある。しかしながら、本実施形態では、サブ
表示パネル５１上にプリチャージ回路５２０を形成し、データ線の画像信号が供給される
側とは反対側となる他端側からプリチャージ信号を供給することにより、画像信号の劣化
及び遅延を防止することができる。よって、本実施形態の電気光学装置２００では、サブ
表示パネル側に駆動回路を設ける必要がないためサブ表示パネルを小型化することができ
、かつサブ表示パネル５１において高品位な表示を行うことが可能となるのである。
【０１２９】
よって、本実施形態によれば、メイン及びサブの２つの表示パネルを備え、かつメイン
表示パネルに４色のカラーフィルタを用い色再現性を高めた電気光学装置を、従来よりも
小型かつ低消費電力なものとして実現することが可能となるのである。
【０１３０】
（第２の実施形態）  
以下、本発明の第２の実施形態について、図８及び図９を参照して説明する。なお、以
下においては、第１の実施形態に対する相違点のみを説明するものとし、第１の実施形態
と同様の構成には同じ符号を付し、その説明は省略する。本実施形態の電気光学装置は、
第１の実施形態の電気光学装置に比して、サブ表示パネル５１ａの構成のみが異なる。
【０１３１】
図８に示すように、本実施形態のサブ表示パネル５１ａには、第１の実施形態における
プリチャージ回路５２０に替えて、イコライズ回路５５０（スイッチ素子）が形成されて
いる。イコライズ回路５５０は、対向電極電位Ｖｃｏｍを各データ線５４Ｒ、５４Ｇ及び
５４Ｂに供給するための回路である。
【０１３２】
図示しない電圧生成回路から供給される対向電極電位Ｖｃｏｍは、イコライズ用信号線
５２２及びイコライズスイッチ５５３、５５４、５５５及び５５６を介して、データ線５
４Ｒ、５４Ｇ及び５４Ｂの他端に供給される。ここで、データ線５４Ｒ、５４Ｇ及び５４
Ｂの他端とは、データ線５４Ｒ、５４Ｇ及び５４Ｂの、画像信号ＳｉｇＲ、ＳｉｇＧ及び
ＳｉｇＢが供給される一端とは反対側となる側のことを指す。
【０１３３】
イコライズスイッチ５５３、５５４、５５５及び５５６は、イコライズ信号ＳＥＬＥＱ
により同時に開閉するスイッチ回路であり、イコライズ信号ＳＥＬＥＱが供給される期間
だけ、データ線５４Ｒ、５４Ｇ及び５４Ｂを介して対向電極電位Ｖｃｏｍが各サブ画素５
７Ｒ、５７Ｇ及び５７Ｂに供給される。
【０１３４】
図９を参照して、サブ表示パネル５１ａの動作を説明する。なお、以下の動作は、電気
光学装置が、サブ表示モードの状態である場合に実施されるものである。
【０１３５】
画素５７を選択するための走査信号Ｈｓｙｎｃが供給されるのに先立って、水平帰線期
間ＴＢ中の所定の期間だけ、イコライズ信号ＳＥＬＥＱが供給され、イコライズスイッチ
５５３、５５４、５５５及び５５６がオン状態とされる。これにより、水平帰線期間ＴＢ
中の所定の期間だけ、各データ線５４Ｒ、５４Ｇ及び５４Ｂに対向電極電位Ｖｃｏｍが供
給される。すなわち、画素５７への画像信号ＳｉｇＲＧＢの書込みに先立って、各サブ画
素５７Ｒ、５７Ｇ及び５７Ｂの画素電極５５は対向電極６０と短絡される。これにより、
画素電極５５の電位は、強制的に対向電極電位Ｖｃｏｍと等電位とされイコライズされる
のである。
【０１３６】
イコライズ後は、イコライズスイッチ５５３、５５４、５５５及び５５６はオフ状態と
される。この状態では、各データ線５４Ｒ、５４Ｇ及び５４Ｂは、ハイインピーダンス（
Ｈｉ−ｚ）状態となるため、各サブ画素５７Ｒ、５７Ｇ及び５７Ｂはイコライズされた状
態が維持される。この状態において、画素電極５５と対向電極６０とは等電位であるため
、電力が消費されることがない。
【０１３７】
次に、画素５７の各サブ画素５７Ｒ、５７Ｇ及び５７ＢのＴＦＴのゲートに走査信号Ｈ
ｓｙｎｃが供給され、ＴＦＴがオン状態とされる。この各サブ画素５７Ｒ、５７Ｇ及び５
７ＢのＴＦＴがオン状態とされている状態の期間を、以下、選択期間と称する。
【０１３８】
次に、オン信号ＳＥＬＲ、ＳＥＬＧ及びＳＥＬＧが、選択期間を３分割した期間だけ、
選択スイッチ３１１、３１２及び３１３に供給される。これにより、画像信号ＳｉｇＲＧ
Ｂに含まれる各色用の成分である画像信号ＳｉｇＲ、ＳｉｇＧ及びＳｉｇＢが、それぞれ
サブ画素５７Ｒ、５７Ｇ及び５７Ｂに書き込まれる。
【０１３９】
上述のように、本実施形態では、画素と対向電極とが短絡される（イコライズされる）
。このイコライズにより、画素電極５５と対向電極６０とは等電位となるため、非選択期
間のサブ画素において電力が消費されることがない。これにより、サブ表示パネル５１の
低消費電力化を図ることができる。
【０１４０】
また、サブ表示パネル５１ａは、イコライズ回路５５０により、各画素への画像信号の
書込みに先立って、各画素がイコライズされる。また、本実施形態では、サブ表示パネル
５１において、対向電極電位Ｖｃｏｍは、データ線の画像信号が供給される一端とは反対
側となる他端側に供給される。本実施形態のようにメイン表示パネル側３１に搭載された
チップドライバ部２３０からの画像信号によりサブ表示パネルを駆動する場合、配線が長
くなることに起因する寄生容量により、画像信号に遅延及び劣化が生じてしまうと言う問
題がある。しかしながら、本実施形態では、サブ表示パネル５１上にイコライズ回路５５
０を形成し、データ線のデータ信号が供給される側とは反対側となる他端側に対向電極電
位Ｖｃｏｍを供給することにより、プリチャージと同様に画像信号の劣化及び遅延を防止
することができる。よって、本実施形態の電気光学装置では、第１の実施形態に比してさ
らに低消費電力な電気光学装置を実現することができるのである。その他の効果は、第１
の実施形態と同様であるため省略する。
【０１４１】
なお、上述の本実施形態の電気光学装置は、メイン表示パネルにＲＧＢＣの４色のカラ
ーフィルタ、サブ表示パネルにＲＧＢの３色のカラーフィルタが用いられるものであるが
、本発明の電気光学装置のカラーフィルタの着色領域に用いられる色数はこの組み合わせ
に限られるものではない。メイン表示パネルに使用されるカラーフィルタの着色領域を、
５色以上としてもよく、例えば、ＲＧＢＣの４色に加えて、白（無色）の着色領域を使用
する構成が考えられる。この場合メイン表示パネルの、白表示における輝度を向上させる
ことができる。
【０１４２】
また、本実施形態では、チップドライバ部は一つの半導体チップで構成されて実装され
るものとしているが、例えば、チップドライバ部２３０は、表示パネルを構成する基板上
に、他の配線と同様に半導体製造工程によって形成されるものであっても良い。また、チ
ップドライバ部２３０は複数の半導体チップで構成されるものであってもよい。
【０１４３】
（電子機器）  
以下、本発明の第１の実施形態の電子機器を図１０を参照して説明する。本発明に係る
電子機器として、本実施形態では折り畳み式の携帯電話機を例に挙げて説明する。図１０
は折り畳み式の携帯電話機の斜視図であり、特に、図１０（ａ）は携帯電話機を開いた状
態を示し、図１０（ｂ）は携帯電話機を折り畳んで閉じた状態を示している。
【０１４４】
本実施形態の携帯電話機１００は、第１ボディ１０１と第２ボディ１０２とを有して構
成されている。第１ボディ１０１と第２ボディ１０２とは、ヒンジ１０３により接続され
ており、該ヒンジ１０３を中心として、第１ボディ１０１と第２ボディ１０２とのなす角
度を変えることが可能な構成となっている。以下、図１０（ａ）に示すように携帯電話機
１００の第１ボディ１０１と第２ボディ１０２とが離れた状態のことを、開状態と称し、
図１０（ｂ）に示すように携帯電話機１００の第１ボディ１０１と第２ボディ１０２とが
近接し折り畳まれた状態のことを閉状態と称する。
【０１４５】
第１ボディ１０１の閉状態とされた場合に内側となる面には、受話口１０４及びメイン
表示パネル３１が配設されている。受話口１０４の近傍には、磁石１１１が埋め込まれて
いる。また、第１ボディ１０１の閉状態とされた場合に外側となる面には、伸縮可能なア
ンテナ１０７及びサブ表示パネル５１が配設されている。
【０１４６】
一方、第２ボディ１０２の閉状態とされた場合に内側となる面には、複数の操作スイッ
チ１０６及び送話口１０５が配設されている。また、閉状態とした場合に磁石１１１と対
向する位置に磁気近接センサ１１０が配設されている。磁気近接センサ１１０は、磁界の
強弱に応じて信号を出力するセンサである。磁気近接センサ１１０は、磁石１１１の接近
、離間を検出することで、携帯電話機１００の開閉の状態を検出するためのものである。
【０１４７】
表示部であるメイン表示パネル３１及びサブ表示パネル５１は、本実施形態の電気光学
装置を構成する２つの液晶表示パネルであり、表示領域３２及び５２に所定の画像を表示
するものである。携帯電話機１００が開状態である場合には、メイン表示パネル３１の表
示領域３２に画像が表示される。また、携帯電話機１００が閉状態である場合には、サブ
表示パネル５１の表示領域５２に画像が表示される。
【０１４８】
使用者が携帯電話機１００を操作する場合に主に観察するのはメイン表示パネル３１に
表示される画像であり、本実施形態では、メイン表示パネル３１により、写真等の精細な
静止画像や動画像等を高精細かつ高い色再現性で表示することが可能となる。一方、携帯
電話機１００が閉状態、すなわち待受け状態である場合には、サブ表示パネル５１に、主
に時刻や着信を示すためのテキスト等の比較的精細度及び色再現性を必要としない画像を
低消費電力で表示することが可能となる。
【０１４９】
さらに、本実施形態の電子機器としては、他にも、テレビジョンや、ビューファインダ
型・モニタ直視型のビデオテープレコーダ、カーナビゲーション装置、ページャ、電子手
帳、電卓、ワードプロセッサ、ワークステーション、テレビ電話、ＰＯＳ端末、ディジタ
ルスチルカメラ、タッチパネルを備えた機器等などが挙げられる。そして、これらの各種
の電子機器に対して、本発明に係る電気光学装置が適用可能なのは言うまでもない。
【０１５０】
本発明は、上述した実施形態に限られるものではなく、請求の範囲及び明細書全体から
読み取れる発明の要旨或いは思想に反しない範囲で適宜変更可能であり、そのような変更
を伴う電気光学装置及び電子機器もまた本発明の技術的範囲に含まれるものである。
【図面の簡単な説明】
【０１５１】
【図１】電気光学装置の概略構成を示す説明図である。
【図２】駆動回路の概略構成を示すブロック図である。
【図３】駆動回路から出力される映像信号を説明するタイミングチャートである。
【図４】メイン表示パネルの構成を説明する説明図である。
【図５】メイン表示パネル動作を説明するタイミングチャートである
【図６】サブ表示パネルの構成を説明する説明図である。
【図７】サブ表示パネル動作を説明するタイミングチャートである
【図８】第２の実施形態のサブ表示パネルの構成を説明する説明図である。
【図９】第２の実施形態のサブ表示パネル動作を説明するタイミングチャートである
【図１０】折り畳み式の携帯電話機の斜視図である。
【符号の説明】
【０１５２】
１  駆動回路、１１  ＬＣＤコントローラ、  ３１  メイン表示パネル、  ３５  画素電
極、  ４０  対向電極、  ５１  サブ表示パネル、  ５５  画素電極、  ６０  対向電極
、  ２３０  チップドライバ部、  ２５０  サブドライバ部、３７Ｒ、３７Ｇ、３７Ｂ、
３７Ｃ  サブ画素、  ５７Ｒ、５７Ｇ、５７Ｂ  サブ画素
【図１】
2008026770.tif 000003
【図２】
2008026770.tif 000004
【図３】
2008026770.tif 000005
【図４】
2008026770.tif 000006
【図５】
2008026770.tif 000007
【図６】
2008026770.tif 000008
【図７】
2008026770.tif 000009
【図８】
2008026770.tif 000010
【図９】
2008026770.tif 000011
【図１０】
2008026770.tif 000012